(57)【特許請求の範囲】
【請求項１】
吊り部材を介して躯体天井部に支持される複数の野縁受けと、上方に拡開した両側面部の上端内方に逆Ｕ字状溝を有する複数のチャンネル状野縁とを、野縁受けに取り付けられる野縁受け取付け部と、その垂下部から野縁外方に向けて折曲された両端部を立上り折曲させて、前記逆Ｕ字状溝内に挿入して野縁を支持受けする野縁支持受け部とを有する野縁固定金具を介して支持する天井下地において、  前記野縁支持受け部による野縁の支持受け構造を補強する野縁固定金具の耐震補強部材であって、  該耐震補強部材は、  前記野縁の拡開側から前記野縁支持受け部を被嵌して、野縁に固定される野縁被嵌部と、  前記野縁の両側面部間に介在され、前記野縁被嵌部から内方に折曲されて、前記野縁支持受け部の下面域を覆ってその振動を規制する傾動規制部とを一体的に備え、  前記野縁被嵌部を前記野縁に被嵌し、前記野縁被嵌部を前記野縁受け取付け部にスライド当接させて、前記野縁被嵌部の両端部を、野縁支持受け部の下面域にビスが位置するように野縁の両側面部にビス固定することを特徴とする野縁固定金具の耐震補強部材。
【請求項２】
請求項１において、前記野縁被嵌部は、上面片とその両端に折曲された固定片とにより下向きコ字状に形成され、前記傾動規制部は、前記上面片から折曲する垂下片と、該垂下片から折曲されて前記野縁支持受け部の下面域に対面する下面片とにより側面視略Ｌ字状に形成されていることを特徴とする野縁固定金具の耐震補強部材。
【請求項３】
請求項１又は２において、前記耐震補強部材は、野縁の長手方向に所定間隔を存して複数配設された野縁固定金具の任意カ所に、対向配置を組として取り付けられていることを特徴とする野縁固定金具の耐震補強部材。
【発明の詳細な説明】
【技術分野】
【０００１】
本発明は、主に予め耐震性が求められる天井下地に用いられ、野縁を支持受け固定する野縁固定金具の支持受け構造を補強することで、さらにその耐震強度を向上させる野縁固定金具の耐震補強部材に関する。
【背景技術】
【０００２】
一般に、在来天井は、吊り部材（吊りボルト、吊りワイヤ等）を介して躯体天井部に支持される複数の野縁受け（チャンネル材）と、上方に拡開した両側面部の上端内方に逆Ｕ字状溝を有し、野縁固定金具を介して野縁受けに支持される複数のチャンネル状の野縁と、野縁にビス止めされる天井パネルとから構成される。
【０００３】
従来の予め耐震性が求められる天井下地に用いられる野縁固定金具５ａは、図５に示すように、指圧変形不能な板厚が約１．６ｍｍの厚板材でプレス成型され、野縁受け４に取り付けられる逆Ｌ字状の野縁受け取付け部５１と、その垂下部から野縁外方に向けてＬ字状に折曲された両端部を、野縁７の逆Ｕ字状溝７１内に挿入されるよう立上り折曲させて凹状に形成された野縁支持受け部５２とにより一体形成され、逆Ｕ字状溝７１内に挿入した野縁支持受け部５２の両側上端面で野縁を支持受けするように構成されたものを組として、野縁受け４に挟み込ませてネジ止め等により固定して取り付けられており、野縁支持受け部５２も２カ所で野縁を支持受けするため、所定のジョイント強度や耐震強度が得られる。（特許文献１、図６参照）
【０００４】
しかしながら、この様な厚板材で形成された野縁固定金具５ａであっても、野縁支持受け部５２の両側上端部を逆Ｕ字状溝７１内に挿入して、野縁７を吊持ち状に載置して支持受けする構造となっているため、野縁７は、野縁受け４の側面と野縁支持受け部５２との間で野縁７の逆Ｕ字状溝７１の両側上端部をしっかりと挟持されているものの、野縁固定金具５ａにビスなどによって固定されていないため、地震等の揺れを受けると、野縁支持受け部５２が上下方向に振動し、野縁７の逆Ｕ字状溝７１に上動圧接するような集中負荷が加わって変形を生じたり、逆Ｕ字状溝７１から離間するような下側方向への振動（傾動）によって、野縁７と野縁受け４との間にガタツキが生じ、野縁固定金具５ａなどが位置ズレしてしまい、その様な状態で更なる振動を受けると、ガタツキや位置ズレが増大されて、天井下地全体が歪んだり、天井パネルの脱落につながる惧れがある。そこで、野縁固定金具５ａと野縁７をビス固定できるような新たな野縁固定金具が望まれるのであるが、既設天井の耐震補強においては、野縁固定金具を交換するという大規模な工事が必要になるため、適用が困難である。
【０００５】
【特許文献１】実登３０１９９８８号公報
【発明の開示】
【発明が解決しようとする課題】
【０００６】  本発明は、上記の如き問題点を一掃すべく創案されたものであって、天井下地における野縁受けに固定された野縁固定金具を介して、野縁を、その逆Ｕ字状溝内に挿入される野縁支持受け部によって支持受けするものでありながら、地震等の揺れを受けて、野縁支持受け部が上下方向に振動を受けた際に、野縁支持受け部の野縁の逆Ｕ字状溝に対する振動負荷を受け止めるだけでなく、下側方向（野縁の逆Ｕ字状溝から離間する方向）への振動を規制し、野縁と野縁受けとの間のガタツキや野縁固定金具などの位置ズレを防止することのできる野縁固定金具の耐震補強部材を提供することを目的とする。
【課題を解決するための手段】
【０００７】  上記課題を解決するために本発明の野縁固定金具の耐震補強部材は、吊り部材を介して躯体天井部に支持される複数の野縁受けと、上方に拡開した両側面部の上端内方に逆Ｕ字状溝を有する複数のチャンネル状野縁とを、野縁受けに取り付けられる野縁受け取付け部と、その垂下部から野縁外方に向けて折曲された両端部を立上り折曲させて、前記逆Ｕ字状溝内に挿入して野縁を支持受けする野縁支持受け部とを有する野縁固定金具を介して支持する天井下地において、前記野縁支持受け部による野縁の支持受け構造を補強する野縁固定金具の耐震補強部材であって、該耐震補強部材は、前記野縁の拡開側から前記野縁支持受け部を被嵌して、野縁に固定される野縁被嵌部と、前記野縁の両側面部間に介在され、前記野縁被嵌部から内方に折曲されて、前記野縁支持受け部の下面域を覆ってその振動を規制する傾動規制部とを一体的に備え、前記野縁被嵌部を前記野縁に被嵌し、前記野縁被嵌部を前記野縁受け取付け部にスライド当接させて、前記野縁被嵌部の両端部を、野縁支持受け部の下面域にビスが位置するように野縁の両側面部にビス固定することを特徴とするものである。
【発明の効果】
【０００８】  本発明は、上記のように構成したことにより、野縁受けに固定された野縁固定金具を介して、野縁をその逆Ｕ字状溝内に挿入される野縁支持受け部によって支持受けするものでありながら、野縁支持受け部は、野縁被嵌部の上面片を野縁受け取付け部に当接させ、傾動規制部によってしっかりと覆い隠した状態で取り付けすることができるので、地震等の揺れを受けて、野縁支持受け部が上下方向に振動を受けた際に、野縁支持受け部の立上り上端部が野縁の逆Ｕ字状溝に集中して上動圧接するような振動負荷を、野縁被嵌部で受け止めて分散することができ、逆Ｕ字状溝の変形や野縁の拡開を防止することができるだけでなく、野縁の逆Ｕ字状溝から離間するような下側方向への振動を、傾動規制部によって野縁支持受け部の平面部を受け止めて規制し、野縁と野縁受けとの間のガタツキの発生や野縁固定金具などの位置ズレを防止することができ、野縁固定金具に対する耐震強度を向上させる補強作業が容易に行えると共に、野縁支持受け部の両側上端が逆Ｕ字状溝へ密着した良好な状態を恒久的に保持することができ、天井下地全体の耐震性を向上させて構造的品質特性の維持に寄与することができる。しかも、野縁被嵌部の両端部を、野縁支持受け部の下面域となる野縁の両側面部でビス固定するので、固定ビス自体を傾動規制部と共に、野縁の逆Ｕ字状溝部分における野縁支持受け部の下動規制に寄与し得て、更なるガタツキや位置ズレの発生を防止することが可能となる。
【発明を実施するための最良の形態】
【０００９】
以下、本発明の実施の形態を好適な実施の形態として例示する野縁固定金具の耐震補強部材を図面に基づいて詳細に説明する。
図１の（Ａ）は、本発明の実施形態に係る天井部の要部断面図、（Ｂ）は、Ａ矢視図である。この図に示すように、天井部１は、吊り部材２を介して躯体天井部３に支持される複数の野縁受け４と、野縁受け４の端部を支持する野縁受け固定金具４１と、野縁固定金具５（従来の野縁固定金具５ａ）を介して野縁受け４に支持される複数の野縁７と、野縁７にビス止めされる天井パネル８とを備える。なお、野縁固定金具５は、表面側と裏面（開口）側とに交互に対向配設されている。
【００１０】
吊り部材２は、例えば、躯体天井部３から垂下する吊りボルト９と、吊りボルト９の下端部に上下位置調整可能に連結される野縁受けハンガー１０とから構成される。すなわち、野縁受け４は、野縁受けハンガー１０によって支持されると共に、吊りボルト９に対する野縁受けハンガー１０の位置変更によって、上下位置が調整される。
【００１１】
野縁受け４は、側方に拡開したチャンネルからなり、天井部１に所定の間隔を存して並列状に割り付けされる。このとき、野縁受け４は、躯体壁部１１に当接しない短めの長さに予め加工され、その両端部が野縁受け固定金具４１を介して躯体壁部１１に固定される。
【００１２】
野縁７は、上方に拡開した両側部の上端を内方に折曲片７１ａを折曲させて逆Ｕ字状溝７１を形成したチャンネルからなり、野縁受け４と直交するように、天井部１に所定の間隔を存して並列状に割り付けされる。野縁７としては、幅寸法が異なるダブル野縁やシングル野縁があり、それぞれに適合した形状の野縁固定金具５を介して野縁受け４で支持される。そして、天井部１に割り付けられた野縁７間に天井パネル８を渡し、これをビス止めすることにより、天井部１が構成される。
【００１３】
次に、本発明の実施態様に係る野縁固定金具の耐震補強部材について、図２〜図５を参照して説明する。図２の（Ａ）は、耐震補強部材の正面図、（Ｂ）は、耐震補強部材の底面図、（Ｃ）は、耐震補強部材の側面図、（Ｄ）は、耐震補強部材の断面図、図３は、耐震補強部材の野縁固定金具への使用例を示す側断面図、図４は、同じく耐震補強部材の野縁固定金具への使用例を示す正面図、図５は、同じく耐震補強部材の従来の野縁固定金具への使用例を示す一部破断側図である。なお、図５に示す野縁固定金具５ａは、特許文献１に例示された一対の野縁固定金具５ａを用いて挟み込み固定した公知の両側支持タイプのものであり、図３、図４に示す野縁固定金具５は、本願出願人が特願２０１０−２５０７０２号で提示した片側支持タイプのものである。
【００１４】
これらの図に示すように、野縁固定金具５は、板厚が１．６ｍｍの厚板材を用い、野縁受け４に取り付けられる垂直面と上方に傾斜する側面視く字状（逆Ｌ字状）に折曲された野縁受け取付け部５１と、その垂下部５１ａの下端側を折曲させて、その両端側に、上方に折曲された逆Ｕ字状溝７１内に挿入されて野縁７を支持受けする野縁支持受け部５２と、野縁受け取付け部５１の上部に、野縁受け４の幅内の中間位置から上方に立ち上がり、立上り幅を２分する位置に折曲部５３ａで折曲変姿可能に形成された立上り片５３と、該立上り片５３から裏面側の野縁受けに達するＬ字状の野縁受け挟持片５４を備えて、一体形成されている。また、垂下部５１ａには、野縁受け４にドリルビス固定するためのビス孔が穿設されている。
【００１５】
立上り片５３は、折曲部５３ａを介して平面状（面一状）に形成して出荷するようにしても良いが、本実施例では、折曲部５３ａで予め略９０゜折曲させて、野縁固定金具５全体として側面視逆Ｌ字状に形成すると共に、折曲部５３ａは、両側に幅狭の連結片５３１を残して打ち抜き形成されており、野縁受け４への取付けに際し、この折曲部５３ａだけを手で折曲操作し安くなっている。また、立上り片５３には、折曲部５３ａを線分して、折曲された立上り片５３同士が対面する中央の対称位置にビス固定できるようビス孔が穿設されている。
【００１６】
野縁支持受け部５２は、野縁受け４の立上り幅よりもやや広幅にＬ字状に折曲されており、野縁の逆Ｕ字状溝７１内に挿入される両端部をそれぞれの外方に傾斜せしめて逆ハ字状に形成されており、逆Ｕ字状溝７１内に挿入して野縁７を支持受けした際に、その上端となる板厚内側角部を線当接させて、野縁７の自重や天井パネル８の自重で長手方向への滑り止めが成されるべく構成されている。
また、野縁支持受け部５２が設けられた垂下部５１ａの両端側をハ字状に傾斜する傾斜辺５１ｂに形成し、逆Ｕ字状溝７１を形成する野縁７の両折曲片７１ａの先端を、傾斜辺５１ｂに沿って自重案内させて当接支持可能に構成される。この傾斜辺５１ｂは、直線状や湾曲状（ノ字状）に形成されるが、垂下部５１ａの下端を折曲させて野縁支持受け部５２が形成された側（正面側）が背面側よりも小さい円弧をもって刃状に形成されており、折曲片７１ａの先端を天井パネル８を含む自重により、しっかりと噛み込み係合して挟持されるようになっている。
つまり、野縁７の幅寸法や折曲片７１ａの折曲寸法は、厳密に規定されるものではなく、所定の範囲で融通し得るため、野縁７の両折曲片７１ａは、その先端を、傾斜辺５１ｂと外方に傾斜する野縁支持受け部５２とにより形成される略Ｖ字状の折曲片挿入溝５５で支持することにより、野縁７の幅方向へのガタツキを規制して、建付け誤差および振動を吸収することができる。
【００１７】
６は本発明の実施態様に係る野縁固定金具５の耐震補強部材であって、該耐震補強部材６は、板厚が約１．６ｍｍの厚板材でプレス成型され、野縁７の拡開側から野縁支持受け部５２を被嵌して、野縁７に固定される野縁被嵌部６１と、野縁７の両側面部（逆Ｕ字状溝７１）間に介在され、野縁被嵌部６１から内方に折曲されて、野縁支持受け部５２の下面域を覆ってその振動を規制する傾動規制部６２とを一体的に備えて構成される。
【００１８】
野縁被嵌部６１は、上面片６１１とその両端に折曲された固定片６１２とにより下向きコ字状に形成され、固定片６１２は野縁支持受け部５２の下面域となる野縁７の両側面部にビス孔６１３が穿設されている。
また、傾動規制部６２は、上面片６１１から折曲する垂下片６２１と、該垂下片６２１から折曲されて野縁支持受け部５２の平面部下面域に対面して覆う下面片６２２とにより側面視略Ｌ字状に形成されている。
なお、本実施例におけるビス孔６１３の穿設位置は、ドリルビスなどのビス６１４を螺入した際に、そのネジ山が下面片６２２の対向面と略同一となるように配設されている。
【００１９】
この耐震補強部材６を取り付けするには、先ず、野縁被嵌部６１を野縁７に逆Ｕ字状溝７１を跨がせて、傾動規制部６２が設けられていない側を野縁固定金具５に向けて被嵌し、野縁被嵌部６１を野縁受け取付け部５１にスライド当接させてセットする。次いで、野縁被嵌部６１の両端部（両固定片６１２）を、野縁支持受け部５２の下面域となる野縁７の両側面部に穿設されたビス孔６１３よりビス６１４で固定するだけで、容易に取り付けすることができる。
耐震補強部材６は、２個を組として対向配置させて設けるようにする。天井下地に従来の野縁固定金具５ａが用いられている場合には、図５に示すように、両方の野縁支持受け部５２にそれぞれ装着してもよく、図１（Ｂ）に示すように何れか一方の野縁支持受け部５２に装着する場合には、隣り合う野縁固定金具５ａへの取り付けを他方の野縁支持受け部５２に互いに向かい合うよう装着して対向配置する。天井下地に図３に示す野縁固定金具５が用いられる場合には、野縁固定金具５は、野縁支持受け部５２の向きを変えて背反して交互に配設されるので、耐震補強部材６を組として、所定カ所に適用すれば片側支持タイプの野縁固定金具５であっても十分な補強が行え、従来の両側支持タイプのものに比し安価に提供することができる。この様に配設すると、特に野縁７が長手方向に振動した際に、野縁支持受け部５２の上下方向への振動を分担して、野縁７の位置ヅレを回避することができる。
【００２０】  叙述の如く構成された本発明の実施の形態において、いま、既設や新設施工が行われた天井部１の下地に対して、野縁固定金具５の耐震補強部材６を取り付けるのであるが、本発明にかかる耐震補強部材６は、野縁７に固定される野縁被嵌部６１と、野縁７の両側面部（逆Ｕ字状溝７１）間に介在され、野縁被嵌部６１から内方に折曲されて、野縁支持受け部５２の下面域を覆ってその振動を規制する傾動規制部６２とを一体的に備え、野縁被嵌部６１を野縁７に被嵌載置し、野縁被嵌部６１を野縁受け取付け部５１にスライド当接させて、野縁被嵌部６１の両端部（両固定片６１２）を、野縁支持受け部５２の下面域にビス６１４が位置するように野縁７の両側面部にビス固定するよう構成されている。【００２１】
この様に構成すると、野縁受け４に固定された指圧変形不能な板厚材にて形成された野縁固定金具５（５ａ）を介して、野縁７をその逆Ｕ字状溝７１内に挿入される野縁支持受け部５２によって支持受けするものでありながら、野縁支持受け部５２は、野縁被嵌部６１の上面片６１１を野縁受け取付け部５１に当接させ、傾動規制部６２によってしっかりと覆い隠した状態で取り付けすることができるので、地震等の揺れを受けて、野縁７が長手方向や野縁受け４方向に振動し野縁支持受け部５２が上下方向に傾動するような振動を受けた際に、野縁支持受け部５２の立上り上端部が野縁７の逆Ｕ字状溝７１に集中して傾動（上動）圧接するような振動負荷を、野縁被嵌部６１で受け止めて分散することができ、逆Ｕ字状溝７１の変形や野縁７の拡開を防止することができるだけでなく、野縁７の逆Ｕ字状溝７１から傾動離間するような下側方向への振動を、当接する上面片６１１によって野縁受け取付け部５１の平面部を受け止め、かつ、傾動規制部６２によって野縁支持受け部５２を受け止めて規制し、野縁７と野縁受け４との間のガタツキの発生や野縁固定金具５（５ａ）などの位置ズレを防止することができ、野縁固定金具５（５ａ）に対する耐震強度を向上させる補強を作業効率良く容易に行うことができる。
【００２２】
その結果、野縁支持受け部５２の両側上端が逆Ｕ字状溝７１へ密着した良好な状態を恒久的に保持することができ、天井部１の下地全体の耐震性を向上させて構造的品質特性の維持に寄与することができ、しかも、野縁被嵌部６１の両端部を、野縁支持受け部５２の下面域となる野縁７の両側面部でビス６１４で固定するので、固定ビス６１４自体を傾動規制部６２と共に、野縁７の逆Ｕ字状溝７１部分における野縁支持受け部５２の下動規制に寄与し得て、更なるガタツキや位置ズレの発生を防止することが可能となる。
【００２３】
また、野縁被嵌部６１は、上面片６１１とその両端に折曲された固定片６１２とにより下向きコ字状に形成され、傾動規制部６２は、上面片６１１から折曲する垂下片６２１と、該垂下片６２１から折曲されて野縁支持受け部５２の下面域に対面する下面片６２２とにより側面視略Ｌ字状に形成されているので、傾動規制部６２が設けられていない側を野縁固定金具５に向けて、野縁被嵌部６１を野縁７の拡開側から逆Ｕ字状溝７１を跨いで載置するだけで被嵌することができ、耐震補強部材６をそのままスライドさせて上面片６１１を野縁受け取付け部５１に当接するだけで簡単に配置セット作業が行え、両側固定片６１２を、野縁支持受け部５２の下面域となる野縁７の両側面部にビス６１４で固定するだけで、容易に取り付けすることができる。
【００２４】
また、耐震補強部材６は、野縁７の長手方向に所定間隔を存して複数配設された野縁固定金具５（５ａ）の任意カ所に、対向配置を組として取り付けられているので、天井部１に配設された野縁固定金具５（５ａ）の全てに設ける必要が無く、例えば、一の野縁７に設けられた複数の野縁固定金具５（５ａ）に対して１つ置きに配設した場合に、隣設する野縁７へは一の野縁７に配設していないカ所の野縁固定金具５（５ａ）に設けるなど、天井部１全体としてそれぞれの野縁７に対する耐震補強部材６の分配態様を考慮して配設すればよいので、耐震補強部材６の増設を容易に行うことができ、耐震施工における取付け作業が簡略化され、作業性及び施工期間の短縮などの作業効率を向上させることができる。
【図面の簡単な説明】
【００２５】
【図１】（Ａ）は、本発明の実施形態に係る天井部の要部断面図、（Ｂ）は、Ａ矢視図である。
【図２】本発明の実施形態に係る野縁固定金具の耐震補強部材であって、（Ａ）は正面図、（Ｂ）は底面図、（Ｃ）は側面図、（Ｄ）は断面図である。
【図３】耐震補強部材の野縁固定金具への使用例を示す側断面図。
【図４】同じく耐震補強部材の野縁固定金具への使用例を示す正面図である。
【図５】同じく耐震補強部材の従来の野縁固定金具への使用例を示す一部破断側図である。
【符号の説明】
【００２６】
１      天井部
２      吊り部材
３      躯体天井部
４      野縁受け
４１    野縁受け固定金具
５      野縁固定金具
５ａ    野縁固定金具
５１    野縁受け取付け部
５１ａ  垂下部
５１ｂ  傾斜辺
５２    野縁支持受け部
５３    立上り片
５３１  連結片
５３ａ  折曲部
５４    挟持片
５５    折曲片挿入溝
６      耐震補強部材
６１    野縁被嵌部
６１１  上面片
６１２  固定片
６１３  ビス孔
６１４  ビス
６２    傾動規制部
６２１  垂下片
６２２  下面片
７１    逆Ｕ字状溝
７１ａ  折曲片
７      野縁
８      天井パネル
９      ボルト
１０    ハンガー
１１    躯体壁部
【図１】
0005862115.tif 000002
【図２】
0005862115.tif 000003
【図３】
0005862115.tif 000004
【図４】
0005862115.tif 000005
【図５】
0005862115.tif 000006